(57)【要約】【課題】  鉄道や自動車道路等の長距離移動用施設に設けられている橋梁やトンネル等の既設構造物の維持管理を容易ならしめることにある。【解決手段】  長距離移動用施設に設けられた複数の既設構造物の情報を検索して所望の既設構造物の情報を処理するに際し、あらかじめ前記複数の既設構造物のそれぞれについて、前記長距離移動用施設に沿って互いに間隔を空けて設けられた複数の移動基点のうちの何れの互いに隣り合う二つの移動基点間または何れの移動基点上に位置するかの分類および所定の移動基点からの距離をその既設構造物の情報とともに記録しておき、前記検索の時に、互いに隣り合う二つの移動基点を指定して、前記複数の既設構造物のうちから、前記記録した分類に基づきそれらの移動基点間の既設構造物を抽出し、次いで、前記所定の移動基点からの距離範囲を指定して、前記抽出した既設構造物のうちから、前記記録した距離に基づきその距離範囲内の既設構造物を抽出することを特徴とする検索方法である。【選択図】図１
2005056160.tif 000002
【特許請求の範囲】
【請求項１】
長距離移動用施設に設けられた複数の既設構造物の情報を検索して所望の既設構造物の情報を処理するに際し、
あらかじめ前記複数の既設構造物のそれぞれについて、前記長距離移動用施設に沿って互いに間隔を空けて設けられた複数の移動基点のうちの何れの互いに隣り合う二つの移動基点間または何れの移動基点上に位置するかの分類および所定の移動基点からの距離をその既設構造物の情報とともに記録しておき、
前記検索の時に、互いに隣り合う二つの移動基点を指定して、前記複数の既設構造物のうちから、前記記録した分類に基づきそれらの移動基点間の既設構造物を抽出し、
次いで、前記所定の移動基点からの距離範囲を指定して、前記抽出した既設構造物のうちから、前記記録した距離に基づきその距離範囲内の既設構造物を抽出することを特徴とする、長距離移動用施設の既設構造物の検索方法。
【請求項２】
前記長距離移動用施設は鉄道であり、前記移動基点は駅であることを特徴とする、請求項１記載の長距離移動用施設の既設構造物の検索方法。
【請求項３】
長距離移動用施設に設けられた複数の既設構造物の情報を検索して所望の既設構造物の情報を処理するための検索システムにおいて、
前記複数の既設構造物のそれぞれについて、前記長距離移動用施設に沿って互いに間隔を空けて設けられた複数の移動基点のうちの何れの互いに隣り合う二つの移動基点間または何れの移動基点上に位置するかの分類および所定の移動基点からの距離をその既設構造物の情報とともに記録したデータ記録手段と、
互いに隣り合う二つの移動基点を指定されると、前記データ記録手段に記録された前記複数の既設構造物のうちから、前記分類に基づきそれらの移動基点間の既設構造物を抽出する移動基点間対応抽出手段と、
前記所定の移動基点からの距離範囲を指定されると、前記移動基点間抽出手段が抽出した既設構造物のうちから、前記記録した距離に基づきその距離範囲内の既設構造物を抽出する距離範囲対応抽出手段と、
前記距離範囲対応抽出手段が抽出した既設構造物のうちから選択された既設構造物の前記情報を処理する情報処理手段と、
を具えることを特徴とする、長距離移動用施設の既設構造物の検索システム。
【請求項４】
前記長距離移動用施設は鉄道であり、前記移動基点は駅であることを特徴とする、請求項３記載の長距離移動用施設の既設構造物の検索システム。
【発明の詳細な説明】
【技術分野】
【０００１】
この発明は、鉄道や自動車道路等の長距離移動用施設に設けられている橋梁やトンネル等の既設構造物の維持管理に用いて好適な検索方法および検索システムに関するものである。
【背景技術】
【０００２】
鉄道に設けられている橋梁やトンネル等の既設構造物の維持管理は、従来は、構造物毎に管理台帳を作成して、距離程（路線の始点からの距離）の小さい順に整理して行っており、その管理台帳は通常、一構造物につき一枚の台帳からなっている。
【発明の開示】
【発明が解決しようとする課題】
【０００３】
しかしながら、上記の台帳方式では、以下のような問題がある。
１）点検計画を作成する際等に、駅間にどのような構造物があるか検索する必要があるが、台帳からの検索では時間がかかる。
２）構造物の点検履歴に関する問合せ等、名称による構造物の問合せに対応する際、台帳からの検索では時間がかかる。
３）構造物の最寄の駅間や距離程を知るために、名称からその構造物の駅間や距離程を検索する際、台帳からの検索では時間がかかる。
４）最寄の距離程にある構造物の種類や特徴等の問合せに対応する際、台帳からの検索では時間がかかる。
【０００４】
そこで、この発明は、以下の課題を解決することを目的としている。
１）構造物の点検計画を作成する際等に、短時間で構造物を検索し得るようにする。
２）構造物の点検履歴等の問合せに対し、短時間で当該構造物を検索し得るようにする。
３）点検する構造物へ行く際、最寄の駅間や距離程を短時間で検索し得るようにする。
４）距離程による構造物の問合せに対し、最寄の構造物を短時間で検索し得るようにする。
【課題を解決するための手段】
【０００５】
上記課題を有利に解決するこの発明の長距離移動用施設の既設構造物の検索方法は、長距離移動用施設に設けられた複数の既設構造物の情報を検索して所望の既設構造物の情報を処理するに際し、あらかじめ前記複数の既設構造物のそれぞれについて、前記長距離移動用施設に沿って互いに間隔を空けて設けられた複数の移動基点のうちの何れの互いに隣り合う二つの移動基点間または何れの移動基点上に位置するかの分類および所定の移動基点からの距離をその既設構造物の情報とともに記録しておき、前記検索の時に、互いに隣り合う二つの移動基点を指定して、前記複数の既設構造物のうちから、前記記録した分類に基づきそれらの移動基点間の既設構造物を抽出し、次いで、前記所定の移動基点からの距離範囲を指定して、前記抽出した既設構造物のうちから、前記記録した距離に基づきその距離範囲内の既設構造物を抽出することを特徴とするものである。
【０００６】
また、上記課題を有利に解決するこの発明の長距離移動用施設の既設構造物の検索システムは、図１にその概念を示すように、長距離移動用施設に設けられた複数の既設構造物の情報を検索して所望の既設構造物の情報を処理するための検索システムにおいて、前記複数の既設構造物のそれぞれについて、前記長距離移動用施設に沿って互いに間隔を空けて設けられた複数の移動基点のうちの何れの互いに隣り合う二つの移動基点間または何れの移動基点上に位置するかの分類および所定の移動基点からの距離をその既設構造物の情報とともに記録したデータ記録手段１と、互いに隣り合う二つの移動基点を指定されると、前記データ記録手段１に記録された前記複数の既設構造物のうちから、前記分類に基づきそれらの移動基点間の既設構造物を抽出する移動基点間対応抽出手段２と、前記所定の移動基点からの距離範囲を指定されると、前記移動基点間抽出手段２が抽出した既設構造物のうちから、前記記録した距離に基づきその距離範囲内の既設構造物を抽出する距離範囲対応抽出手段３と、前記距離範囲対応抽出手段３が抽出した既設構造物のうちから選択された既設構造物の前記情報を処理する情報処理手段４と、を具えることを特徴としている。
【０００７】
なお、前記長距離移動用施設は鉄道であって、前記移動基点は駅であっても良く、このようにすれば、鉄道に関する既設構造物の検索を容易なものとすることができる。
【発明の効果】
【０００８】
上記検索システムによれば、上記検索方法を実行し、データ記録手段１が、長距離移動用施設に設けられた複数の既設構造物のそれぞれについて、前記長距離移動用施設に沿って互いに間隔を空けて設けられた複数の移動基点のうちの何れの互いに隣り合う二つの移動基点間または何れの移動基点上に位置するかの分類および所定の移動基点からの距離をその既設構造物の情報とともに記録し、移動基点間対応抽出手段２が、互いに隣り合う二つの移動基点を指定されると、前記データ記録手段１に記録された前記複数の既設構造物のうちから、前記分類に基づきそれらの移動基点間の既設構造物を抽出し、距離範囲対応抽出手段３が、前記所定の移動基点からの距離範囲を指定されると、前記移動基点間抽出手段２が抽出した既設構造物のうちから、前記記録した距離に基づきその距離範囲内の既設構造物を抽出し、そして、情報処理手段４が、前記距離範囲対応抽出手段３が抽出した既設構造物のうちから選択された既設構造物の前記情報を処理する。
【０００９】
従って、この発明の検索方法および検索システムによれば、構造物の点検計画を作成する際等に、短時間で構造物を検索することができ、また構造物の点検履歴等の問合せに対し、短時間で当該構造物を検索することができ、さらに、点検する構造物へ行く際、最寄の移動基点間や所定移動基点からの距離を短時間で検索することができ、そして所定移動基点からの距離による構造物の問合せに対し、最寄の構造物を短時間で検索することができる。
【００１０】
ここで、前記長距離移動用施設が鉄道であって、前記移動基点が駅である場合には、移動基点間が駅間に相当し、所定移動基点からの距離が距離程に相当するので、鉄道構造物の点検計画を作成する際等に、短時間で構造物を検索することができ、また鉄道構造物の点検履歴等の問合せに対し、短時間で当該構造物を検索することができ、さらに、点検する鉄道構造物へ行く際、最寄りの駅間や距離程を短時間で検索することができ、そして距離程による鉄道構造物の問合せに対し、最寄りの構造物を短時間で検索することができる。
【発明を実施するための最良の形態】
【００１１】
以下に、この発明の実施の形態を実施例によって、図面に基づき詳細に説明する。ここに、図2は、この発明の検索方法の一実施例を実施する、この発明の検索システムの一実施例を示すシステム構成図である。この実施例の検索システムは、鉄道に設けられている橋梁やトンネル等の既設構造物の維持管理に用いられるもので、データ記録手段１に対応するデータ記録部１１と、移動基点間対応抽出手段２に対応する駅間対応抽出部１２と、距離範囲対応抽出手段３に対応する距離程範囲対応抽出部１３と、情報処理手段４に対応する情報処理部１４とを具えてなり、具体的には、通常の中央処理ユニットと、ＲＯＭやＲＡＭ等のメモリと、液晶画面等を持つディスプレイ装置と、ハードディスクドライブ装置と、ＣＤ再生／記録ドライブ装置やＤＶＤ再生／記録ドライブ装置等と、プリンタと、キーボードおよびマウス等のユーザ用操作手段と、それらを相互に繋ぐインターフェイス手段とを具えて、例えば書込み可能型ＣＤ−ＲＯＭにて供給される所定のプログラムを実行する、通常のコンピュータにて構成されている。
【００１２】
この実施例の検索システムを通常のコンピュータに構成させるプログラムは、例えばマイクロソフト社が提供するデータベース作成支援ソフトウェア「アクセス（商品名）」に自作マクロを組み合わせることでデータベース（ＤＢ）・プログラムとして構築されており、プログラム構造は、図３に示すように、ＤＢフォルダ内に、既設構造物の情報記録様式を記録した構造物台帳フォームと、それらの台帳フォームと情報との間のリンク（関連付け）データおよび情報抽出プログラムを記録したシステム構造データと、橋梁、法面、トンネル等の個々の既設構造物に関する情報をフォルダに分けるとともに整理して記録した構造物データとを具えている。
【００１３】
しかしてこの実施例の検索システムでは、データ記録部１１は、図４に示すように、鉄道に設けられた橋梁、擁壁、防音壁、法面、埋設物、プラットホーム（ホーム）、トンネル、防護桁の８種類の既設構造物のそれぞれについて、鉄道に沿って互いに間隔を空けて設けられた複数の、移動基点としての駅のうちの何れの互いに隣り合う二つの駅間または何れの駅上に位置するかの分類および、所定の始点駅からの距離である距離程をその既設構造物の情報とともに例えば上記書込み可能型ＣＤ−ＲＯＭに記録する。
【００１４】
また、駅間対応抽出部１２は、ユーザの入力操作で互いに隣り合う二つの駅を指定されると、データ記録部１１に記録された複数の既設構造物のうちから、上記分類に基づきそれら指定された駅間の既設構造物を抽出し、距離程範囲対応抽出部１３は、ユーザの入力操作で上記距離程の範囲を指定されると、駅間対応抽出部１２が抽出した幾つかの既設構造物のうちから上記記録した距離程に基づき、その指定された距離程の範囲内の既設構造物を抽出して画面等で表示し、そして、情報処理部１４は、距離程範囲対応抽出部１３が抽出した既設構造物のうちから、ユーザの入力操作で選択された既設構造物に関する情報を、例えば図３に各既設構造物について示す如き所定様式に従い、ユーザの入力操作に基づいて印刷し、あるいは入力する処理を行う。
【００１５】
すなわちこの実施例の検索システムを上記コンピュータに構成させるプログラムは、ディスプレイ装置の画面上の所定アイコンを例えばマウスでクリックして構造物台帳フォームを選択すると、図５の下部に示す如き、各種構造物名称が並んだメニュー画面を表示する。ここで、特定の種類（名称）の構造物について検索または入力する場合は、検索したい構造物名称をユーザが例えばマウスでクリックして選択（図示例では「橋梁」を選択）し、これにより上記プログラムは、当初は図６に示す如きサブフォーム検索用画面を表示する。この画面上で検索か入力かを選択でき（表示当初は「検索」が選択されている）、この「検索」が選択された状態でユーザが例えばマウスでクリックして「橋梁台帳」ボタンを押すと、図７に示す如き検索画面を表示する。なお、この検索画面の表示当初は各表示欄の中はブランクになっている。
【００１６】
この図７に示す検索画面（検索用ゆえ検索条件以外は入力不可）で、ユーザが検索項目を選定して条件を入力あるいは選択してから、例えばマウスでクリックして「検索」ボタンを押すと、上記プログラムは、あらかじめ記録した複数の既設構造物のうちからその検索条件に一致した対象構造物の数を画面最下部に表示するとともに、その検索条件に一致した対象構造物を抽出して、それら抽出した対象構造物の情報をたとえば各表示欄の位置から下方に上下に並べて表示する。なお、この検索画面で、「駅間」欄には、既存情報の駅間のみを表示し、「距離程」欄には、駅間を基にして自動的にその駅間内の距離程を抽出して表示し、「名称」欄には、駅間を基にして自動的にその駅間内の構造物の名称を抽出して表示し、「判定ランク」欄には、駅間を基にして自動的にその駅間内の構造物の判定ランク（点検履歴）を抽出して表示する。そしてユーザが例えばマウスでクリックして、それら抽出した対象構造物の一つを選定し、続いて画面右側の「台帳入力画面へ」ボタンを押すと、上記プログラムは、図８に示すように、先ずその選定された構造物の「基本情報（ここでは橋梁が選択されているので上部下部情報）」の内容を入力用画面として表示し、その選定された構造物に関してのみ入力可能とするとともに、上部の検索項目は確認用として、検索項目の内容を変えての検索はこの画面上ではできなくする。
【００１７】
この「台帳」画面の右上に並んだ「塗装情報へ」ボタン、「補修履歴へ」ボタン、「点検履歴へ」ボタン、「印刷へ」ボタンのうち、「補修履歴へ」ボタンをユーザが押すと、上記プログラムは図９に示す如き補修履歴情報を表示し、「点検履歴へ」ボタンをユーザが押すと、上記プログラムは図１０に示す如き点検履歴情報を表示し、「塗装情報へ」ボタンをユーザが押すと、上記プログラムは図１１に示す如き塗装履歴情報を表示するので、ユーザはそれら履歴情報のうちの入力が必要な項目に情報を入力する。そして「印刷へ」ボタンをユーザが押すと、上記プログラムは現在画面表示している情報を全て印刷する。この入力作業後、図１２と同様に画面右上に表示された図示しない×印ボタンをユーザが押して表示中の画面を閉じると、先程の検索条件を持った図７に示す画面に戻り、さらにその画面右上に表示された図示しない×印ボタンをユーザが押して表示中の画面を閉じると、上記プログラムは終了する。
【００１８】
一方、図６に示す如きサブフォーム検索用画面上でユーザが入力を選択すると、上記プログラムは図１２に示す如きサブフォーム入力用画面を表示し、このサブフォーム入力用画面で例えば「橋梁台帳」を選択してその下の数字ボタンをクリックすると、上記プログラムは図８に示す如き橋梁台帳を上記入力フォームで表示する。この入力フォームで、ユーザが例えば橋梁のコード番号（ＢＲ  ＣＤ）等を入力すると、上記プログラムはそのコード番号等に対応した橋梁を抽出してその橋梁の情報を表示欄内に表示する。ここで、画面上部には共通情報として、軌道一般情報（名称、キロ程、駅間、竣工年月日等の基本的情報等、全構造物共共通のもの）を表示し、その中の写真や図面、リンク等の欄内のデータ名にはリンクを張り、そのデータ名をユーザがクリックすると当該構造物の写真等を表示する。一方、画面中央部から下部にかけては基本情報（橋梁の場合は上部下部情報）を表示する。ユーザが「補修」や「点検」や「塗装」を選択した場合には、図９に示す如き補修情報や、図１０に示す如き点検履歴や、図１１に示す如き塗装履歴を基本情報として表示する。そしてユーザが複数種類の「印刷」ボタンの一つを選択して下の数字のボタンを押すと、上記プログラムはそのボタンに対応する所望の情報を所定の様式で印刷する。
【００１９】
この実施例の検索システムで、例えば、駅間から検索する場合、先ず駅間を入力すると、その駅間にある構造物の距離程（例えば駅間が相武台前−座間の場合、距離程は３７．５５３〜３９．０００）を一次検索でき、また、その駅間内の構造物の名称（例えば駅間が相武台前−座間の場合、構造物名称は用水暗渠、電々管渠、架道暗渠、水路暗渠当）を検索することができる。さらに駅間から距離程の範囲を一次検索し、その距離程範囲から一または複数の構造物を二次検索し、それらの構造物から特定名称の構造物を三次検索して個別の構造物に関する検索画面に到達し、そこから上記のように入力画面に移行することもできる。また、例えば、駅間を入力し、次いでその駅間の距離程または構造物名称を入力あるいは選択し、次いでその駅間内の判定ランク（点検履歴）や内径（埋設物台帳）を選択するといったこともできる。さらに例えば、距離程から検索する場合、数値の選択または入力により検索することもできる。
【００２０】
以上、図示例に基づき説明したが、この発明は上記例に限られず、特許請求の範囲の記載の範囲内で適宜変更し得ることはいうまでもない。
【産業上の利用可能性】
【００２１】
かくしてこの発明の検索方法および検索システムによれば、構造物の点検計画を作成する際等に、短時間で構造物を検索することができ、また構造物の点検履歴等の問合せに対し、短時間で当該構造物を検索することができ、さらに、点検する構造物へ行く際、最寄りの移動基点間や所定移動基点からの距離を短時間で検索することができ、そして所定移動基点からの距離による構造物の問合せに対し、最寄りの構造物を短時間で検索することができるので、鉄道や自動車道路等の長距離移動用施設に設けられている橋梁やトンネル等の既設構造物の維持管理を容易ならしめることができる。
【図面の簡単な説明】
【００２２】
【図１】この発明の長距離移動用施設の既設構造物の検索システムを示す概念図である。
【図２】この発明の検索方法の一実施例を実施する、この発明の検索システムの一実施例を示すシステム構成図である。
【図３】上記実施例の検索システムのプログラム構造を示す説明図である。
【図４】上記実施例の検索システムが検索する構造物の種類を示す説明図である。
【図５】上記実施例の検索システムが表示する画面を例示する説明図である。
【図６】上記実施例の検索システムが表示する画面を例示する説明図である。
【図７】上記実施例の検索システムが表示する画面を例示する説明図である。
【図８】上記実施例の検索システムが表示する画面を例示する説明図である。
【図９】上記実施例の検索システムが表示する画面を例示する説明図である。
【図１０】上記実施例の検索システムが表示する画面を例示する説明図である。
【図１１】上記実施例の検索システムが表示する画面を例示する説明図である。
【図１２】上記実施例の検索システムが表示する画面を例示する説明図である。
【符号の説明】
【００２３】
１  データ記録手段
２  移動基点間対応抽出手段
３  距離範囲対応抽出手段
４  情報処理手段
１１  データ記録部
１２  駅間対応抽出部
１３  距離程範囲対応抽出部
１４  情報処理部
【図１】
2005056160.tif 000003
【図２】
2005056160.tif 000004
【図３】
2005056160.tif 000005
【図４】
2005056160.tif 000006
【図５】
2005056160.tif 000007
【図６】
2005056160.tif 000008
【図７】
2005056160.tif 000009
【図８】
2005056160.tif 000010
【図９】
2005056160.tif 000011
【図１０】
2005056160.tif 000012
【図１１】
2005056160.tif 000013
【図１２】
2005056160.tif 000014